(57)【要約】      （修正有）【課題】意匠性を高めつつ、自立することができる物品包装体を提供する。【解決手段】物品包装体１は、物品２と、物品２を包装する包装材３と、を備える。物品包装体１は、下方側に脚部４を備え、包装材３は、２００μｍ以下の厚みを有する熱収縮性の非発泡樹脂フィルムであり、脚部４の少なくとも一部は、包装材３で構成される。【選択図】図１
2018144872.tif 000002
【特許請求の範囲】
【請求項１】
物品と、
前記物品を包装する包装材と、を備える物品包装体において、
下方側に脚部を備え、
前記包装材は、２００μｍ以下の厚みを有する熱収縮性の非発泡樹脂フィルムであり、
前記脚部の少なくとも一部は、前記包装材で構成される、物品包装体。
【請求項２】
前記脚部の最大幅は、前記物品の最大幅以下である、請求項１に記載の物品包装体。
【請求項３】
前記物品は、互いに平行な第１面及び第２面を備え、
前記包装材は、前記脚部を構成する脚構成部を備え、
前記脚構成部は、前記第１面側に配置される第１部と、前記第２面側に配置される第２部と、を備え、
前記第１部と前記第１面との間の距離は、前記第２部と前記第２面との間の距離と、異なる、請求項１又は２に記載の物品包装体。
【請求項４】
前記物品は、互いに平行な第１面及び第２面を備え、
前記包装材は、前記脚部を構成する脚構成部を備え、
前記脚構成部は、前記第１面側に配置される第１部と、前記第２面側に配置される第２部と、を備え、
前記第１部の高さは、前記第２部の高さと異なる、請求項１又は２に記載の物品包装体。
【請求項５】
前記脚部は、前記包装材のみで構成される、請求項１〜４の何れか１項に記載の物品包装体。
【請求項６】
前記脚部は、前記包装材と前記物品とのみで構成される、請求項１〜４の何れか１項に記載の物品包装体。
【請求項７】
前記包装材の外表面に固定される固定体を備え、
前記脚部の少なくとも一部は、前記包装材と前記固定体とで構成される、請求項１〜４の何れか１項に記載の物品包装体。
【発明の詳細な説明】
【技術分野】
【０００１】
本発明は、物品と、物品を包装する包装材とを備える物品包装体に関する。
【背景技術】
【０００２】
従来、物品包装体として、物品と、物品を包装する熱収縮性の発泡シートとを備える物品包装体が、知られている（例えば、特許文献１）。斯かる発泡シートは、外部の衝撃から物品を保護するために、熱収縮性の発泡シートであって、２５０μｍ以上の厚みを有している。これにより、外部からの衝撃に対して、包装した物品を保護することができる。
【０００３】
ところで、発泡シートが２５０μｍ以上の厚みを有しているため、物品の正確な外形状が把握し難い。また、発泡シートの表面には、凹凸が存在しているため、意匠性が低下している。このように、２５０μ以上の厚みを有する発泡シートは、物品の保護の目的で使用され、意匠的な観点では使用されていなかった。
【先行技術文献】
【特許文献】
【０００４】
【特許文献１】実公昭５５−５６１４６号公報
【発明の概要】
【発明が解決しようとする課題】
【０００５】
そこで、課題は、意匠性を高めつつ、自立することができる物品包装体を提供することである。
【課題を解決するための手段】
【０００６】
物品包装体は、物品と、前記物品を包装する包装材と、を備える物品包装体において、下方側に脚部を備え、前記包装材は、２００μｍ以下の厚みを有する熱収縮性の非発泡樹脂フィルムであり、前記脚部の少なくとも一部は、前記包装材で構成される。
【０００７】
また、物品包装体においては、前記脚部の最大幅は、前記物品の最大幅以下である、という構成でもよい。
【０００８】
また、物品包装体においては、前記物品は、互いに平行な第１面及び第２面を備え、前記包装材は、前記脚部を構成する脚構成部を備え、前記脚構成部は、前記第１面側に配置される第１部と、前記第２面側に配置される第２部と、を備え、前記第１部と前記第１面との間の距離は、前記第２部と前記第２面との間の距離と、異なる、という構成でもよい。
【０００９】
また、物品包装体においては、前記物品は、互いに平行な第１面及び第２面を備え、前記包装材は、前記脚部を構成する脚構成部を備え、前記脚構成部は、前記第１面側に配置される第１部と、前記第２面側に配置される第２部と、を備え、前記第１部の高さは、前記第２部の高さと異なる、という構成でもよい。
【００１０】
また、物品包装体においては、前記脚部は、前記包装材のみで構成される、という構成でもよい。
【００１１】
また、物品包装体においては、前記脚部は、前記包装材と前記物品とのみで構成される、という構成でもよい。
【００１２】
また、物品包装体においては、前記包装材の外表面に固定される固定体を備え、前記脚部の少なくとも一部は、前記包装材と前記固定体とで構成される、という構成でもよい。
【発明の効果】
【００１３】
以上の如く、物品包装体は、意匠性を高めつつ、自立することができる、という優れた効果を奏する。
【図面の簡単な説明】
【００１４】
【図１】図１は、一実施形態に係る物品包装体の全体斜視図である。
【図２】図２は、同実施形態に係る物品包装体の一部断面を示す全体正面図である。
【図３】図３は、図２のIII−III線における一部断面を示す図である。
【図４】図４は、同実施形態に係る物品包装体の寸法を説明する図であって、一部断面を示す全体正面図である。
【図５】図５は、同実施形態に係る物品包装体の陳列状況を示す図である。
【図６】図６は、同実施形態に係る物品包装体の陳列状況を示す図である。
【図７】図７は、他の実施形態に係る物品包装体の一部断面を示す全体正面図である。
【図８】図８は、図７のVIII−VIII線における一部断面を示す図である。
【図９】図９は、さらに他の実施形態に係る物品包装体の一部断面を示す全体正面図である。
【図１０】図１０は、図９のＸ−Ｘ線における一部断面を示す図である。
【図１１】図１１は、さらに他の実施形態に係る物品包装体の一部断面を示す全体側面図である。
【図１２】図１２は、さらに他の実施形態に係る物品包装体の一部断面を示す全体側面図である。
【図１３】図１３は、さらに他の実施形態に係る物品包装体の一部断面を示す全体正面図である。
【図１４】図１４は、さらに他の実施形態に係る物品包装体の一部断面を示す全体正面図である。
【図１５】図１５は、さらに他の実施形態に係る物品包装体の一部断面を示す全体正面図である。
【図１６】図１６は、図１５のＸVI−ＸVI線における一部断面を示す図である。
【図１７】図１７は、さらに他の実施形態に係る物品包装体の一部断面を示す全体正面図である。
【図１８】図１８は、図１７のＸVIII−ＸVIII線における一部断面を示す図である。面図である。
【図１９】図１９は、さらに他の実施形態に係る物品包装体の全体斜視図である。
【図２０】図２０は、さらに他の実施形態に係る物品包装体の全体斜視図である。
【図２１】図２１は、さらに他の実施形態に係る物品包装体の一部断面を示す全体正面図である。
【図２２】図２２は、図２１のＸＸII−ＸＸII線における一部断面を示す図である。
【図２３】図２３は、さらに他の実施形態に係る物品包装体の全体正面図である。
【図２４】図２４は、同実施形態に係る物品包装体の一部断面を示す全体正面図である。
【図２５】図２５は、さらに他の実施形態に係る物品包装体の一部断面を示す全体正面図である。
【発明を実施するための形態】
【００１５】
以下、物品包装体における一実施形態について、図１〜図６を参照しながら説明する。なお、各図（図７〜図２５も同様）において、図面の寸法比と実際の寸法比とは、必ずしも一致しておらず、また、各図面の間での寸法比も、必ずしも一致していない。特に、包装材は、実際の寸法よりも厚く図示している。
【００１６】
図１〜図３に示すように、本実施形態に係る物品包装体１は、物品２と、物品２を包装する熱収縮性の包装材３とを備えている。そして、物品包装体１は、下方側に、自立可能な脚部４を備えており、脚部４の少なくとも一部は、包装材３で構成されている。
【００１７】
物品２は、互いに平行な第１面２１及び第２面２２を備えている。また、物品２は、第１面２１及び第２面２２間に配置される側周面２３を備えている。本実施形態においては、物品２は、円柱状に形成されている。なお、物品２の底面２４が曲面であるため、物品２は、自身のみで自立できない。
【００１８】
包装材３は、物品２の一部を包装する包装部３１と、包装部３１の下方側に配置され、脚部４を構成する脚構成部３２とを備えている。そして、包装部３１は、物品２と接しており、脚構成部３２は、物品２から離れている。
【００１９】
本実施形態においては、脚部４は、包装材３の脚構成部３２のみで構成されている。即ち、脚部４は、包装材３のみで構成されている。したがって、物品包装体１が平面上に自立した際には、脚構成部３２の下端部のみが当該平面に接しており、物品２の底面２４は、当該平面から離れている。
【００２０】
また、図１に示すように、包装材３は、物品２から外されるために切断される切断部３３を備えている。例えば、切断部３３は、ミシン目やハーフカット等で形成されている。そして、切断部３３は、包装部３１及び脚構成部３２に亘って形成されている。具体的には、切断部３３は、包装材３の上下方向の全長に亘って、配置されている。
【００２１】
このように、切断部３３の下端部が脚構成部３２の下端部に配置され、切断部３３の下端部が物品２と離れている。これにより、切断部３３の下端部から包装材３の切断を開始する作業が容易である。なお、脚構成部３２の強度を確保するために、切断部３３は、脚構成部３２には配置されず、包装部３１のみに配置されていてもよい。
【００２２】
脚構成部３２は、下方に向けて内空間が大きくなるような角筒状に形成されている。具体的には、図２に示すように、正面視においては、脚構成部３２の幅は、下方に向けて大きくなっており、図３に示すように、側面視においては、脚構成部３２の幅は、上下方向で一定となっている。なお、脚構成部３２は、角部３２ａを備えていることが好ましい。斯かる構成によれば、角部３２ａが脚構成部３２を補強するため、脚構成部３２の強度を大きくすることができる。
【００２３】
また、図４に示すように、脚構成部３２の上端部の最大幅Ｗ３は、物品２の最大幅Ｗ１よりも、小さくなっている。これにより、物品包装体１が自立している際に、脚構成部３２は、上端部で物品２を支持することができる。また、包装材３の上方側の幅も物品２の最大幅Ｗ１より小さくなっていることと協働して、製造された物品包装体１においては、包装材３が物品２から外れることを抑制することができる。なお、脚構成部３２の上端部の最大幅Ｗ３は、脚構成部３２の下端部の最大幅Ｗ２よりも、小さくなっている。
【００２４】
また、陳列幅を有効利用するために、脚部４（脚構成部３２の下端部）の最大幅Ｗ２は、物品２の最大幅Ｗ１の１１０％以下であることが好ましく、また、物品２の最大幅Ｗ１の１０５％以下であることがより好ましい。そして、脚部４（脚構成部３２の下端部）の最大幅Ｗ２は、物品２の最大幅Ｗ１以下であることがさらに好ましく、また、物品２の最大幅Ｗ１より小さいことが非常に好ましい。
【００２５】
例えば、脚部４（脚構成部３２の下端部）の最大幅Ｗ２が、物品２の最大幅Ｗ１以下であれば、図５に示すように、包装部３１，３１同士が接した状態で、複数の物品包装体１を陳列することができる。このように、脚部４が存在しても、脚部４のための陳列スペースが余計に必要とならないため、陳列幅を有効利用することができる。
【００２６】
なお、本実施形態においては、脚部４（脚構成部３２の下端部）の最大幅Ｗ２は、物品２の最大幅Ｗ１よりも、小さくなっている。したがって、図５に示すように、脚部４，４同士（脚構成部３２，３２同士）が離れた状態で、複数の物品包装体１が陳列されている。
【００２７】
また、物品包装体１が脚部４で安定して自立するために、脚部４（脚構成部３２の下端部）の最大幅Ｗ２は、物品２の最大幅Ｗ１の９０％以上であることが好ましく、また、物品２の最大幅Ｗ１の９５％以上であることがより好ましい。これにより、例えば、物品包装体１の自立安定性を向上させることができたり、また、例えば、図６に示すように、上方の物品包装体１の脚構成部３２の中に下方の物品包装体１を挿し入れることで、物品包装体１を積み重ねて陳列することができたりする。
【００２８】
なお、包装材３は、熱収縮性の樹脂フィルムが所定温度（例えば、７０℃〜１００℃）で加熱されて熱収縮することで形成されている。そして、包装材３の少なくとも一部は、透光性を有している（即ち、無色透明や有色透明に形成されている）。これにより、包装材３の外側から、物品２の各面２１〜２３を内視することができる。なお、包装材３の少なくとも一部は、物品２の情報などを表示するための印刷が施されることで、不透明に形成されていてもよい。
【００２９】
また、例えば、発泡シートにおいては、表面に凹凸が存在しており、特に、熱収縮後の発泡シートにおいては、その表面の凹凸が顕著に現れる。それに対して、包装材３は、非発泡の樹脂フィルムが熱収縮して形成された非発泡フィルムである。これにより、非発泡フィルムである包装材３の表面には、そのような凹凸が存在していないため、物品包装体１の意匠性を高めることができる。
【００３０】
包装材３の厚みは、例えば、２００μｍ以下であり、好ましくは、１８０μｍ以下であり、さらに好ましくは、１５０μｍ以下である。したがって、このような比較的薄い包装材３で包装された物品包装体１においては、物品２の形状が忠実に視認可能であったり、また、例えば、包装材３の透明性を確保することが容易であったりする。よって、物品包装体１の意匠性を高めることができる。
【００３１】
また、包装材３の厚みは、例えば、１０μｍ以上であり、好ましくは、１５μｍ以上であり、さらに好ましくは、２０μｍ以上である。これにより、包装材３が所定の強度を有しているため、脚部４の必要な強度を確保することができる。
【００３２】
包装材３を形成する樹脂フィルムとしては、例えば、ポリオレフィン系（例えば、直鎖状低密度ポリエチレン、低密度ポリエチレン、高密度ポリエチレン、ポリプロピレン等）、ポリエステル系（例えば、ポリエチレンテレフタレート、ポリブチレンテレフタレート、ポリ乳酸等）、ポリビニル系（例えば、ポリアミド、エチレン酢酸ビニル共重合体等）、又は、ポリスチレン系の樹脂フィルムが挙げられる。
【００３３】
また、包装材３を形成する樹脂フィルムは、これらの樹脂を２種以上混合した樹脂混合物から形成されてもよく、同種又は異種の樹脂からなる層が積層されて形成されてもよい。積層方法としては、例えば、共押出法、ドライラミネート法、サンドラミネート法、タンデムラミネート法などが挙げられる。
【００３４】
熱収縮性の樹脂フィルムは、公知の製法で製膜し延伸処理することにより得ることができる。延伸処理は、通常、７０〜１１０℃程度の温度で、横方向（筒状に形成した際における周方向）に２．０〜８．０倍、好ましくは３．０〜７．０倍程度で主延伸することにより行われる。さらに、フィルムの縦方向（前記横方向と直交する方向であって、筒状に形成した際における軸方向）にも、例えば１．５倍以下の低倍率で延伸処理を行ってもよい。得られたフィルムは、熱収縮性を有する一軸延伸フィルム又は主延伸方向と直交する方向にも延伸された二軸延伸フィルムとなる。
【００３５】
本実施形態に係る物品包装体１の構成は以上の通りであり、次に、本実施形態に係る物品包装体１の製造方法の一例について説明する。
【００３６】
まず、物品２が治具に載せられ、熱収縮性を有し且つ上方側及び下方側が開放された筒状の樹脂フィルムが物品２及び治具に被せられる。そして、熱媒体（熱風、蒸気等）により樹脂フィルムが加熱されることで、樹脂フィルムが熱収縮する。その後、必要に応じて、樹脂フィルムの下端部が切断されることで、包装材３で物品２を包装した物品包装体１が製造される。なお、物品包装体１の製造方法は、斯かる方法に限られない。
【００３７】
以上より、本実施形態に係る物品包装体１は、物品２と、前記物品２を包装する包装材３と、を備える物品包装体１において、下方側に脚部４を備え、前記包装材３は、２００μｍ以下の厚みを有する熱収縮性の非発泡樹脂フィルムであり、前記脚部４の少なくとも一部は、前記包装材３で構成される。
【００３８】
斯かる構成によれば、物品２を包装する包装材３は、２００μｍ以下の厚みを有する熱収縮性の非発泡樹脂フィルムである。これにより、物品包装体１の意匠性を高めることができる。しかも、物品包装体１は、下方側に、少なくとも一部が包装材３で構成される脚部４を備えており、脚部４で自立することができる。
【００３９】
また、本実施形態に係る物品包装体１においては、前記脚部４の最大幅Ｗ２は、前記物品２の最大幅Ｗ１以下である、という構成である。
【００４０】
斯かる構成によれば、脚部４の最大幅Ｗ２が物品２の最大幅Ｗ１以下であるため、脚部４が存在しても、脚部４のための陳列スペースが余計に必要となることがない。これにより、例えば、同じ陳列幅に対して、多くの列の物品包装体１を並列することができるため、陳列幅を有効利用することができる。
【００４１】
また、本実施形態に係る物品包装体１においては、前記脚部４は、前記包装材３のみで構成される、という構成である。
【００４２】
なお、物品包装体１は、上記した実施形態の構成に限定されるものではなく、また、上記した作用効果に限定されるものではない。また、物品包装体１は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００４３】
（１）上記実施形態に係る物品包装体１においては、脚部４は、包装材３のみで構成される、という構成である。しかしながら、物品包装体１は、斯かる構成に限られない。例えば、図７及び図８に示すように、脚部４は、包装材３と物品２とのみで構成される、という構成でもよい。また、例えば、図９及び図１０に示すように、脚部４の少なくとも一部は、包装材３の外表面に固定される固定体５と包装材３とで構成される、という構成でもよい。
【００４４】
以下に、図７及び図８に係る物品包装体１と、図９及び図１０に係る物品包装体１とについて説明する。
【００４５】
まず、図７及び図８に係る物品包装体１においては、脚部４は、物品２と包装材３の脚構成部３２とで構成されている。したがって、物品包装体１が平面上に自立した際には、脚構成部３２の下端部が当該平面に接しており、物品２の底面２４も当該平面に接している。そして、物品２の底面２４が曲面であるため、物品２が自身のみで自立できないことに対して、包装材３と物品２とのみで構成される脚部４が備えられることで、物品包装体１は自立できる。
【００４６】
また、図９及び図１０に係る物品包装体１においては、脚部４は、包装材３の脚構成部３２と固定体５とで構成されている。したがって、物品包装体１が平面上に自立した際には、脚構成部３２の下端部と固定体５の底部５１とが当該平面に接しており、物品２の底面２４は、当該平面から離れている。なお、図９及び図１０に係る固定体５は、紙や樹脂で形成されるシート体であるが、斯かる構成に限られない。
【００４７】
そして、物品２の底面２４が曲面であるため、物品２が自身のみで自立できないことに対して、包装材３と固定体５とで構成される脚部４が備えられることで、物品包装体１は自立できる。また、固定体５の底部５１が直線状であるため、固定体５が自身のみで自立できないことに対して、包装材３と固定体５とで構成される脚部４が備えられることで、物品包装体１は自立できる。
【００４８】
なお、図９及び図１０に係る脚部４は、包装材３と固定体５とで構成される、という構成である。しかしながら、脚部４は、斯かる構成に限られず、例えば、脚部４は、物品２と包装材３と固定体５とで構成される、という構成でもよい。
【００４９】
また、図９及び図１０に係る固定体５は、脚部４の一部を構成していたが、斯かる構成に限られず、図１１に示すように、固定体５は、脚部４を構成することなく、物品包装体１が平面上に自立した際には、固定体５の底部５１は、当該平面から離れている、という構成でもよい。要するに、包装材３のみで構成される脚部４を有する物品包装体１や、包装材３と物品２とのみで構成される脚部４を有する物品包装体１は、脚部４を構成しない固定体５を備えている、という構成でもよい。
【００５０】
（２）また、上記実施形態に係る物品包装体１においては、物品２は、一つ備えられている、という構成である。しかしながら、物品包装体１は、斯かる構成に限られない。例えば、図１２〜図１４に示すように、物品２は、複数備えられている、という構成でもよい。なお、図１２〜図１４においては、物品包装体１は、それぞれ二つの物品２を備えているが、三つ以上の物品２を備えていてもよい。
【００５１】
図１２に係る複数の物品２，２は、異なる形状の物品２であって、第１の物品２は、円柱状に形成されており、第２の物品２は、シート状に形成されている。そして、第１及び第２の物品２，２は、一つの包装材３に包装されている。なお、第１の物品２は、例えば、接着剤等により、第２の物品２に固定されている。また、図１２に係る物品包装体１が平面上を自立した際には、第１の物品２の底面２４及び第２の物品２の底部２５は、平面から離れている。即ち、図１２に係る脚部４は、包装材３のみで構成されている。
【００５２】
また、図１３に係る複数の物品２，２は、同じ形状の物品２であって、縦方向Ｄ３に並列されており、一つの包装材３に包装されている。また、図１４に係る複数の物品２は、同じ形状の物品２であって、横方向Ｄ１に並列されており、一つの包装材３に包装されている。なお、図１３及び図１４に係る脚部４は、それぞれ包装材３のみで構成されている。
【００５３】
（３）また、上記実施形態に係る物品包装体１は、物品２の第１面２１及び第２面２２が平面（載置面）に対して直交するように、自立する、という構成である。しかしながら、物品包装体１は、斯かる構成に限られない。例えば、図１５〜図１８に示すように、物品包装体１は、物品２の第１面２１及び第２面２２が平面（載置面）に対して傾斜するように、自立する、という構成でもよい。
【００５４】
以下に、図１５及び図１６に係る物品包装体１と、図１７及び図１８に係る物品包装体１とについて説明する。
【００５５】
まず、図１５及び図１６に係る物品包装体１においては、脚構成部３２は、物品２の第１面２１側に配置される第１部３２ｂと、物品２の第２面２２側に配置される第２部３２ｃとを備えている。そして、脚構成部３２の第１部３２ｂと第２部３２ｃとの間の距離（図１６における横方向Ｄ２の距離）は、上方に行くにつれて、小さくなっている。
【００５６】
そして、第１部３２ｂと第１面２１との間の距離（図１６における横方向Ｄ２の距離）Ｗ４は、第２部３２ｃと第２面２２との間の距離（図１６における横方向Ｄ２の距離）Ｗ５と異なっている。具体的には、第１部３２ｂと第１面２１との間の距離Ｗ４は、第２部３２ｃと第２面２２との間の距離Ｗ５よりも、小さくなっている。より具体的には、脚構成部３２の第１部３２ｂは、物品２の第１面２１と接しており、脚構成部３２の第２部３２ｃは、物品２の第２面２２と離れている。
【００５７】
このように、図１５及び図１６に係る物品包装体１においては、前記物品２は、互いに平行な第１面２１及び第２面２２を備え、前記包装材３は、前記脚部４を構成する脚構成部３２を備え、前記脚構成部３２は、前記第１面２１側に配置される第１部３２ｂと、前記第２面２２側に配置される第２部３２ｃと、を備え、前記第１部３２ｂと前記第１面２１との間の距離は、前記第２部３２ｃと前記第２面２２との間の距離と、異なる、という構成である。
【００５８】
斯かる構成によれば、脚構成部３２の第１部３２ｂと物品２の第１面２１との間の距離Ｗ４は、脚構成部３２の第２部３２ｃと物品２の第２面２２との間の距離Ｗ５と、異なっている。これにより、物品包装体１が平面上で自立した際に、物品２の第１面２１及び第２面２２が当該平面に対して傾斜する。したがって、例えば、物品２の第１面２１は、斜め上方を向くことにより、視認され易くなる。
【００５９】
また、図１７及び図１８に係る物品包装体１においては、脚構成部３２は、物品２の第１面２１側に配置される第１部３２ｂと、物品２の第２面２２側に配置される第２部３２ｃとを備えている。そして、脚構成部３２の第１部３２ｂの高さ（図１８における上下方向Ｄ３の寸法）Ｈ１は、脚構成部３２の第２部３２ｃの高さ（図１８における上下方向Ｄ３の寸法）Ｈ２と、異なっている。具体的には、脚構成部３２の第１部３２ｂの高さＨ１は、脚構成部３２の第２部３２ｃの高さＨ２よりも、高くなっている。
【００６０】
このように、図１７及び図１８に係る物品包装体１においては、前記物品２は、互いに平行な第１面２１及び第２面２２を備え、前記包装材３は、前記脚部４を構成する脚構成部３２を備え、前記脚構成部３２は、前記第１面２１側に配置される第１部３２ｂと、前記第２面２２側に配置される第２部３２ｃと、を備え、前記第１部３２ｂの高さＨ１は、前記第２部３２ｃの高さＨ２と異なる、という構成である。
【００６１】
斯かる構成によれば、脚構成部３２の第１部３２ｂの高さＨ１は、脚構成部３２の第２部３２ｃの高さＨ２と、異なっている。これにより、物品包装体１が平面上で自立した際に、物品２の第１面２１及び第２面２２が当該平面に対して傾斜する。したがって、例えば、物品２の第１面２１は、斜め上方を向くことにより、視認され易くなる。
【００６２】
（４）また、上記実施形態に係る物品包装体１においては、脚構成部３２の下縁は、直線状に形成されている、という構成である。しかしながら、物品包装体１は、斯かる構成に限られない。例えば、図１９に示すように、脚構成部３２の下縁は、包装材３の面に沿う方向に凹凸するように、凹凸状に形成されている、という構成でもよい。なお、図１９に係る脚構成部３２の下縁は、曲線からなる凹凸状に形成されている。
【００６３】
（５）また、上記実施形態に係る物品包装体１においては、脚構成部３２は、下方に向けて内空間が大きくなるような筒状に形成されている、という構成である。しかしながら、物品包装体１は、斯かる構成に限られない。例えば、脚構成部３２は、上下方向で内空間が同じになるような筒状に形成されている、という構成でもよく、また、下方に向けて内空間が小さくなるような筒状に形成されている、という構成でもよい。
【００６４】
（６）また、上記実施形態に係る物品包装体１においては、物品２の底面２４は、自立できない形状である、という構成である。しかしながら、物品包装体１は、斯かる構成に限られない。例えば、物品２の底面２４は、物品２自身のみで自立できる形状である、という構成でもよい。
【００６５】
なお、自身のみで自立できない物品２の底面２４とは、例えば、曲面のみからなる底面や、載置面に接する部分が直線になる底面等である。また、自身のみでの自立が不安定な物品２の底面２４とは、載置面に接する面積が上下方向における投影面積よりも小さい底面等である。
【００６６】
（７）また、物品包装体１においては、図２０に示すように、包装材３は、脚構成部３２に、包装材３の厚み方向に凸状となる凸部３４及び包装材３の厚み方向に凹状となる凹部３５の少なくとも一方を備えている、という構成でもよい。なお、図２０に係る包装材３は、脚構成部３２に、凸部３４及び凹部３５をそれぞれ複数備えており、脚構成部３２は、包装材３の厚み方向で凹凸状に形成されている。
【００６７】
斯かる構成によれば、包装材３の厚み方向に凸状となる凸部３４及び包装材３の厚み方向に凹状となる凹部３５の少なくとも一方は、脚構成部３２に備えられているため、脚構成部３２を補強する。これにより、脚構成部３２の強度を強くすることができる。
【００６８】
（８）また、物品包装体１は、図２１及び図２２に示すように、包装材３の脚構成部３２を補強するために、脚構成部３２に固定される補強体６を備えている、という構成でもよい。例えば、補強体６は、樹脂、紙、金属等の帯材が環状に形成されて成り、包装材３の脚構成部３２の内面に固定されている。
【００６９】
なお、補強体６は、包装材３に嵌め込められて固定されてもよく、また、接着剤等で包装材３に固定されてもよい。また、補強体６の表面に、物品２に関する情報が記載されていてもよい。
【００７０】
（９）また、物品包装体１においては、図２３及び図２４に示すように、包装材３は、物品２の一部を突出させる開口部３６を備えている、という構成でもよい。例えば、開口部３６は、物品２の最大幅の部分を突出させるように、包装材３に配置されている。斯かる構成によれば、物品２が開口部３６に引っ掛かるため、包装材３が物品２から外れることを確実に防止することができる。
【００７１】
（１０）また、上記実施形態に係る物品包装体１においては、物品２の上方側が露出している、という構成である。しかしながら、物品包装体１は、斯かる構成に限られない。例えば、図２５に示すように、物品２の上方側は、包装材３で包装されている、という構成でもよい。斯かる包装材３は、例えば、上方が閉塞され且つ下方が開放された筒状の樹脂フィルムが物品２及び治具に被せられ、その後、熱収縮されることで、形成される。
【符号の説明】
【００７２】
１…物品包装体、２…物品、３…包装材、４…脚部、５…固定体、６…補強体、２１…第１面、２２…第２面、２３…側周面、２４…底面、２５…底部、３１…包装部、３２…脚構成部、３２ａ…角部、３２ｂ…第１部、３２ｃ…第２部、３３…切断部、３４…凸部、３５…凹部、３６…開口部、５１…底部
【図１】
2018144872.tif 000003
【図２】
2018144872.tif 000004
【図３】
2018144872.tif 000005
【図４】
2018144872.tif 000006
【図５】
2018144872.tif 000007
【図６】
2018144872.tif 000008
【図７】
2018144872.tif 000009
【図８】
2018144872.tif 000010
【図９】
2018144872.tif 000011
【図１０】
2018144872.tif 000012
【図１１】
2018144872.tif 000013
【図１２】
2018144872.tif 000014
【図１３】
2018144872.tif 000015
【図１４】
2018144872.tif 000016
【図１５】
2018144872.tif 000017
【図１６】
2018144872.tif 000018
【図１７】
2018144872.tif 000019
【図１８】
2018144872.tif 000020
【図１９】
2018144872.tif 000021
【図２０】
2018144872.tif 000022
【図２１】
2018144872.tif 000023
【図２２】
2018144872.tif 000024
【図２３】
2018144872.tif 000025
【図２４】
2018144872.tif 000026
【図２５】
2018144872.tif 000027